(57)【要約】【課題】  規格の範囲内で、ユーザの視聴の妨げとならないようにする。【解決手段】  番組情報からジャンル情報を取得するステップＳ１１０の処理が、番組分類手段に相当し、デジタルテレビ信号の中にＥＭＭの自動表示メッセージが含まれているか判断するステップＳ１００と、ステップＳ１０５の処理が、ＥＭＭ判断手段に相当し、各分類毎にＥＭＭの自動表示メッセージの表示領域を選定するステップＳ１２０と、ステップＳ１３０の処理が、記憶手段に相当し、ステップＳ１００とステップＳ１０５の判断を経て、ステップＳ２００〜ステップＳ２１５を実行する処理が表示位置特定手段に相当し、表示位置にＥＭＭの自動表示メッセージを表示するステップＳ１５０の処理が、表示制御手段に相当する。チューナ１１、デマルチプレクサ１２、Ｂ−ＣＡＳカード１９などは、デジタルテレビ放送に基づくデジタルテレビ信号を取得するデジタルテレビ信号取得手段に相当する。【選択図】  図３
2015167338.tif 000002
【特許請求の範囲】
【請求項１】
デジタルテレビ放送に基づくデジタルテレビ信号を取得するデジタルテレビ信号取得手段と、
デジタルテレビ信号に含まれる番組情報に基づいて番組を分類する番組分類手段と、
各分類毎にＥＭＭの自動表示メッセージの表示領域を選定する条件を記憶する選定条件記憶手段と、
前記デジタルテレビ信号の中にＥＭＭの自動表示メッセージが含まれているか判断するＥＭＭ判断手段と、
ＥＭＭの自動表示メッセージが含まれていると判断される場合に、前記番組情報に基づく分類に従い、各分類毎に記憶されているメッセージの表示領域を選定する条件を取得し、映像の中で同条件に対応する表示位置を特定する表示位置特定手段と、
特定された表示位置にＥＭＭの自動表示メッセージを表示させる表示制御手段とを備えたことを特徴とするデジタルテレビ放送受信装置。
【請求項２】
前記番組分類手段は、番組情報に基づいて、字幕または歌詞が含まれる番組を一つの分類とし、
前記選定条件記憶手段は、字幕または歌詞が含まれる番組の分類に対して、字幕または歌詞の表示領域を回避する位置をＥＭＭの自動表示メッセージの表示領域と選定する条件を記憶することを特徴とする請求項１に記載のデジタルテレビ放送受信装置。
【請求項３】
字幕であるときに、ＯＳＤの設定言語が、番組情報に基づく言語と一致するときには、字幕の表示領域はないものとすることを特徴とする請求項２に記載のデジタルテレビ放送受信装置。
【請求項４】
前記番組分類手段は、番組情報に基づいて、スポーツ番組を一つの分類とし、前記選定条件記憶手段は、スポーツ番組の分類に対して、スコアの表示領域を回避する位置をＥＭＭの自動表示メッセージの表示領域と選定する条件を記憶することを特徴とする請求項１〜請求項３のいずれかに記載のデジタルテレビ放送受信装置。
【請求項５】
前記選定条件記憶手段は、スポーツが野球であるときに、フレーム間の差異が多いときに、動作の少ない場所をスコアの表示領域と仮判定し、フレーム間の差異が少ないときに仮判定した領域がスコアの表示領域かを確認することを特徴とする請求項４に記載のデジタルテレビ放送受信装置。
【請求項６】
前記選定条件記憶手段は、スポーツがサッカーであるときに、輝度の分布に基づいて背景の領域を判定し、背景の領域以外を対象として、フレーム間の動作が少ない場所をスコアの表示領域と判定することを特徴とする請求項４に記載のデジタルテレビ放送受信装置。
【請求項７】
前記選定条件記憶手段は、スポーツ番組の分類であるときに、画面の四隅にてフレーム間の動作が少ない場所をスコアの表示領域と判定することを特徴とする請求項４に記載のデジタルテレビ放送受信装置。
【請求項８】
前記表示制御手段は、ディスプレイの大きさを取得し、大きな画面であるほど、表示させるフォントの大きさを画面に対して相対的に小さくして表示することを特徴とする請求項１〜請求項７のいずれかに記載のデジタルテレビ放送受信装置。
【請求項９】
ユーザの操作入力を受け付ける操作受付手段を備え、前記表示位置特定手段は、ユーザに表示位置の選定操作を促す表示を行い、操作受付手段を介して入力されるユーザが選定する表示位置を取得し、ユーザが選定する表示位置がある場合は、当該表示位置を優先させることを特徴とする請求項１〜請求項８のいずれかに記載のデジタルテレビ放送受信装置。
【請求項１０】
番組の分類毎にＥＭＭの自動表示メッセージの表示領域を選定する条件を記憶しておき、
デジタルテレビ放送に基づくデジタルテレビ信号を取得する工程と、
デジタルテレビ信号に含まれる番組情報に基づいて番組を分類する工程と、
前記デジタルテレビ信号の中にＥＭＭの自動表示メッセージが含まれているか判断する工程とを含み、
ＥＭＭの自動表示メッセージが含まれていると判断される場合に、前記番組情報に基づく分類に従い、各分類毎に記憶されているメッセージの表示領域を選定する条件を取得し、映像の中で同条件に対応する表示位置を特定する工程と、
特定された表示位置にＥＭＭの自動表示メッセージを表示させる工程とを実施することを特徴とするデジタルテレビ放送受信装置のメッセージ表示方法。
【発明の詳細な説明】
【技術分野】
【０００１】
本発明は、デジタルテレビ放送受信装置およびメッセージ表示方法に関する。
【背景技術】
【０００２】
ＩＳＤＢの放送規格にある、ＥＭＭ（Ｅｎｔｉｔｌｅｍｅｎｔ  Ｍａｎａｇｅｍｅｎｔ  Ｍａｓｓａｇｅ）の自動表示メッセージに関して、規格上表示する必要がある。ＥＭＭの自動表示メッセージに関する仕様は、ＡＲＩＢ（社団法人電波産業会）により以下の２点が規格化されている。
１：画面全体を九分割しどこの場所に表示するか
２：見えやすい表示にすること
【０００３】
一方、画面表示やＥＭＭのメッセージに関して、以下の特許文献が知られている。
特許文献１は、画質調整内容に応じて、調整に影響の少ない位置にＯＳＤを表示させる、ＯＳＤ表示位置決定装置及びＯＳＤ表示位置決定方法に関する。特許文献１には、図１と段落０００６に、「ＯＳＤ画像の表示に適する度合いが高い順に優先順位を付け、最も優先順位の高いエリアに前記ＯＳＤ画像を表示する」、段落００４９に、「２分割以上であれば良く、例えば９分割や１６分割することが考えられる」との開示がある。
【０００４】
特許文献２は、ディジタル放送により広告情報を配信する時に、設定された視聴者層に対して広告情報を提供し、広告の視聴履歴を広告単位で収集する受信装置および受信方法に関する。特許文献２には、図５と段落００３５に、「ＥＭＭ等により事前に送信され、ＩＣカード部６６に記録・・・ＩＣカード部６６には、デスクランブルのための鍵の他に、視聴者属性、番組視聴履歴、広告情報視聴履歴、リンク情報使用履歴が記録」、段落００４８に、「広告詳細情報の画面の複数枚を分割画面によって同時に表示したり、順次一枚ずつ送りながら複数画面を表示することも可能である」との開示がある。
【０００５】
特許文献３は、一時記録に対して適切なコピー制御がなされるディジタル放送送信方法に関する。特許文献３には、図２、図７と段落００５３に、「ＥＣＭはＥＭＭと共にトランスポート処理器２５で多重分離され、共通情報、個別情報として受信機に挿入されたＩＣカード（図示せず）に出力」、段落００５５に、「記録画制御情報の値が「０ｘ００」であれば、図７より、録画不可を意味するから、ステップＳ８５に移り録画不可の旨をディスプレィ上に表示するなどの記録不可処理を行う」との開示がある。
【０００６】
特許文献４は、受信契約に関する情報量を抑え、かつ、契約内容を容易に変更できるようにする送信装置および送信方法、受信装置および受信方法に関する。特許文献４には、図１０と段落００７８、００７９に、「共通・個別情報解析装置６１は、契約情報記憶装置６２からの通知に基づいて・・・モニタ６に表示されるメッセージは、例えば、「視聴開始日が経過していないため視聴処理できません」等のメッセージである」との開示がある。
【先行技術文献】
【特許文献】
【０００７】
【特許文献１】特開２０１２−０６３５８３号公報
【特許文献２】特開２００７−３３６５８５号公報
【特許文献３】特開２００６−２７０９７４号公報
【特許文献４】特開２００２−０７７７４７号公報
【発明の概要】
【発明が解決しようとする課題】
【０００８】
上述したＡＲＩＢの規格では、画面を九分割された画面のどの画面に表示されるかの規定はあるが、九分割された各画面内での表示位置の規定はない。
しかし、ほとんどの場合、表示することで視聴範囲が狭くなり、ユーザの視聴の妨げとなる。
上述した各特許文献においては、可能な限りユーザの視聴の妨げとならないようにする技術は開示されていなかった。
【０００９】
本発明は、規格の範囲内で、可能な限り、ユーザの視聴の妨げとならないようにするデジタルテレビ放送受信装置およびメッセージ表示方法を提供する。
【課題を解決するための手段】
【００１０】
本発明は、デジタルテレビ放送に基づくデジタルテレビ信号を取得するデジタルテレビ信号取得手段と、デジタルテレビ信号に含まれる番組情報に基づいて番組を分類する番組分類手段と、各分類毎にＥＭＭの自動表示メッセージの表示領域を選定する条件を記憶する選定条件記憶手段と、前記デジタルテレビ信号の中にＥＭＭの自動表示メッセージが含まれているか判断するＥＭＭ判断手段と、ＥＭＭの自動表示メッセージが含まれていると判断される場合に、前記番組情報に基づく分類に従い、各分類毎に記憶されているメッセージの表示領域を選定する条件を取得し、映像の中で同条件に対応する表示位置を特定する表示位置特定手段と、特定された表示位置にＥＭＭの自動表示メッセージを表示させる表示制御手段とを備えた構成としてある。
【００１１】
前記構成において、デジタルテレビ信号取得手段がデジタルテレビ放送に基づくデジタルテレビ信号を取得すると、番組分類手段はデジタルテレビ信号に含まれる番組情報に基づいて番組を分類する。選定条件記憶手段は各分類毎にＥＭＭの自動表示メッセージの表示領域を選定する条件を記憶しており、ＥＭＭ判断手段が前記デジタルテレビ信号の中にＥＭＭの自動表示メッセージが含まれているか判断すると、表示位置特定手段は、前記番組情報に基づく分類に従い、各分類毎に記憶されているメッセージの表示領域を選定する条件を取得し、映像の中で同条件に対応する表示位置を特定する。そして、表示制御手段は、特定された表示位置にＥＭＭの自動表示メッセージを表示させる。
【００１２】
このように番組の分類に応じて表示領域を選定する条件を適用する。
本発明の他の態様として、前記分類手段は、番組情報に基づいて、字幕または歌詞が含まれる番組を一つの分類とし、前記選定条件記憶手段は、字幕または歌詞が含まれる番組の分類に対して、字幕または歌詞の表示領域を回避する位置をＥＭＭの自動表示メッセージの表示領域と選定する条件を記憶するようにすることができる。
【００１３】
前記構成において、字幕または歌詞が含まれる番組の場合、字幕または歌詞の表示領域を回避することができると、ユーザの視聴の邪魔にならない。このため、字幕または歌詞の表示領域を回避する位置をＥＭＭの自動表示メッセージの表示領域と選定する条件を記憶している。
本発明の他の態様として、字幕であるときに、ＯＳＤの設定言語が、番組情報に基づく言語と一致するときには、字幕の表示領域はないものとすることができる。
【００１４】
前記構成において、ＯＳＤの設定言語が番組情報に基づく言語と一致するときには、通常は字幕は表示しないと思われる。このため、字幕を含む番組であっても、字幕の表示領域はないものとしてＥＭＭの自動表示メッセージの表示領域を選定すればよい。
本発明の他の態様として、前記分類手段は、番組情報に基づいて、スポーツ番組を一つの分類とし、前記選定条件記憶手段は、スポーツ番組の分類に対して、スコアの表示領域を回避する位置をＥＭＭの自動表示メッセージの表示領域と選定する条件を記憶する構成とすることができる。
【００１５】
前記構成において、スポーツ番組を一つの分類としており、前記分類手段は番組情報に基づいてスポーツ番組であるか否かを判断する。スポーツ番組の場合は、スコアの表示領域にＥＭＭの自動表示メッセージが表示されると、視聴者の邪魔になる。このため、スポーツ番組と分類された番組に対しては、スコアの表示領域を回避する位置をＥＭＭの自動表示メッセージの表示領域と選定する条件を適用できるように記憶している。
【００１６】
本発明の他の態様として、前記選定条件記憶手段は、スポーツが野球であるときに、フレーム間の差異が多いときに、動作の少ない場所をスコアの表示領域と仮判定し、フレーム間の差異が少ないときに仮判定した領域がスコアの表示領域かを確認する構成とすることができる。
前記構成において、野球放送では、ピッチャーとバッターとが対峙しているときは、フレーム間の差異が少なく、それ以外のときにフレーム間の差異が多い。このようなときに、スコアが表示されていると、その分では動作が少ないと判断できる。従って、動作の少ない場所をスコアの表示領域と仮判定する。その後、フレーム間の差異が少ないときにはピッチャーとバッターとが対峙しているものと考えられるので、仮判定した領域がスコアの表示領域かを確認する。このようにすれば、誤判断を減らしつつできるだけ正確にスコアの表示領域を特定できる。その上で、このようなスコアの表示領域を回避してＥＭＭの自動表示メッセージを表示すればよい。
【００１７】
本発明の他の態様として、前記選定条件記憶手段は、スポーツがサッカーであるときに、輝度の分布に基づいて背景の領域を判定し、背景の領域以外を対象として、フレーム間の動作が少ない場所をスコアの表示領域と判定する構成とすることができる。
前記構成において、サッカー放送では、フィールド全体が映っているようなときに、画面の多くは芝の緑で占められる。芝の緑が画面を占めているとき、芝の輝度分布は概ね一定であるから、輝度の分布を調べて最も多い輝度に相当する領域は背景と見なしても誤判断は少ない。すると、残りの領域は非常に限られ、また、スコアが表示されていればフレーム間の動作が少ないはずであるから、フレーム間の動作が少ない場所を探せばスコアの表示領域を見つけられる。そして、このようなスコアの表示領域を回避してＥＭＭの自動表示メッセージを表示すればよい。
【００１８】
本発明の他の態様として、前記選定条件記憶手段は、スポーツ番組の分類であるときに、画面の四隅にてフレーム間の動作が少ない場所をスコアの表示領域と判定する構成とすることができる。
前記構成において、その他のスポーツでは、スコアの表示は画面の四隅のどこかに表示することが多い。従って、画面の四隅にてフレーム間の動作が少ない場所をスコアの表示領域と判定し、このようなスコアの表示領域を回避してＥＭＭの自動表示メッセージを表示すればよい。
【００１９】
本発明の他の態様として、前記表示制御手段は、ディスプレイの大きさを取得し、大きな画面であるほど、表示させるフォントの大きさを画面に対して相対的に小さくして表示する構成とすることができる。
ディスプレイが大きくなると、表示されるソースは一定なので、表示は大きくなる。しかし、メッセージは視認できれば良く、ディスプレイが大きくなったときに、比例して大きくなる必要はない。このため、ディスプレイの大きさを取得し、大きな画面であるほど、表示させるフォントの大きさを画面に対して相対的に小さくして表示することで、視認性は確保しつつ、ユーザが視認できる領域も広がり、メッセージ表示が邪魔にならないようにすることができる。
【００２０】
本発明の他の態様として、ユーザの操作入力を受け付ける操作受付手段を備え、前記表示位置特定手段は、ユーザに表示位置の選定操作を促す表示を行い、操作受付手段を介して入力されるユーザが選定する表示位置を取得し、ユーザが選定する表示位置がある場合は、当該表示位置を優先させる。
自動的に表示することができるとしても、その場所が必ずしも最良であるとは限らない。このため、前記構成において、前記表示位置特定手段が、ユーザに表示位置の選定操作を促す表示を行い、操作受付手段を介して入力されるユーザが選定する表示位置を取得し、ユーザが選定する表示位置がある場合は、当該表示位置を優先させる。これにより、ユーザの視聴の邪魔にならないように資することができる。
本発明にかかる技術的思想はデジタルテレビ放送受信装置という形態のみで実現されるものではなく、例えば、上述したデジタルテレビ放送受信装置が実行する処理手順を有するデジタルテレビ放送受信装置の受信方法の発明や、上述したデジタルテレビ放送受信装置において実現される処理をハードウェア（コンピューター）に実行させるプログラムの発明としても、把握することが可能である。
【発明の効果】
【００２１】
本発明によれば、番組の分類の基づいてメッセージの表示位置を特定する条件を異ならせるようにし、ユーザの視聴の邪魔にならないようにＥＭＭの自動表示メッセージを表示させることができる。
【図面の簡単な説明】
【００２２】
【図１】本発明の一実施形態にかかるデジタルテレビ放送受信装置を適用した録画再生装置のブロック図である。
【図２】デジタルテレビ放送のパケットデータを示す模式図である。
【図３】本発明の第二実施例にかかる制御部のメインフローチャートである。
【図４】字幕の邪魔にならない場所を探すフローチャートである。
【図５】字幕／歌詞の邪魔にならない場所の具体例を示す図である。
【図６】歌詞の邪魔にならない場所を探すフローチャートである。
【図７】本発明の第二実施例にかかる制御部のメインフローチャートである。
【図８】スコアボードなどと被らない場所を探すフローチャートである。
【図９】野球のスコアボードの邪魔にならない場所の具体例を示す図である。
【図１０】サッカーのスコアボードの邪魔にならない場所の具体例を示す図である。
【図１１】本発明の第三実施例にかかる制御部のメインフローチャートである。
【図１２】その他の場合の表示領域を探すフローチャートである。
【図１３】その他の場合に背景を探して表示領域とする具体例を示す図である。
【図１４】テレビのサイズによりフォントサイズを切り替える処理のフローチャートである。
【図１５】テレビのサイズによりフォントサイズを切り替える具体例を示す図である。
【発明を実施するための形態】
【００２３】
以下、図面にもとづいて本発明の実施形態を説明する。
（実施例１）
図１は、本発明の一実施形態にかかるデジタルテレビ放送受信装置の一例としての録画再生装置をブロック図により示している。
チューナ１１はデジタルテレビ放送を受信して復調する。なお、復調と共に、所定の誤り訂正処理も行われる。復調されたデジタルテレビ放送信号はデマルチプレクサ（ＤＥＭＵＸ）１２に入力される。デマルチプレクサ１２は、主に多重分離部１３と制御部１４の機能を実現するものであり、多重分離部１３は復調された多重化デジタルテレビ信号のトランスポートストリームを多重分離して所定のパケットデータを生成する。パケットデータは、その内容に応じてパケットＩＤを割り当てられており、映像や音声のエレメントストリームを分割したパケットデータ以外にも様々な制御や管理などに利用されるパケットデータを含んでいる。
【００２４】
同分離されたパケットデータは、再生出力を行うデコーダ部１５と記録を行う再構築部１６とで利用される。再構築部１６は、分離されたパケットデータのうち、所定のエレメンタリストリームを再現するのに必要なパケットデータと、他の必要な制御用のパケットデータと使用して記録用のトランスポートストリームを再構築する。放送波に含まれる全てのパケットデータを利用するのではなく、再生に必要となる主なパケットデータだけを利用している。
【００２５】
再構築されたトランスポートストリームは記録再生部１７に入力され、ＨＤＤなどの記録媒体１８に記録される。記録再生部１７は再生にも関与し、同記録媒体１８に記録されている所定のトランスポートを読み出されると、多重分離部１３が再度多重分離して所定のパケットデータとする。
デマルチプレクサ１２内では制御部１４による各種の処理が実現されており、視聴に利用される映像や音声のパケットデータはデコードに適したエレメンタリストリームとしてデコーダ部１５に出力され、同デコーダ部１５が映像信号や音声信号にデコードする。なお、本実施例のデコーダ部１５は自動表示メッセージを映像画面に重畳する処理も行なうが、別の処理部でこのような重畳を行うものとしても、デコーダ部１５での表示と称することにする。
【００２６】
制御部１４は、総合的な制御を司り、前記チューナ１１と前記多重分離部１３と前記再構築部１６と前記記録再生部１７と前記デコーダ部１５とを制御する他、Ｂ−ＣＡＳカード１９へアクセスする処理も司る。なお、Ｂ−ＣＡＳカードへのアクセスは、他の作業と並行して随時行われる。
デジタルテレビ放送信号の再生にはさまざまな状況でＢ−ＣＡＳカード（Ｂ−ＣＡＳ  ＩＣカードとも呼ばれる）１９へアクセスして所定の情報を得ることが必要であり、制御部１４は必要な状況でＢ−ＣＡＳカード１９にアクセスする。Ｂ−ＣＡＳカード１９は暗号化された放送番組の解読に必要な情報の提供に加え、各種の制御に必要な情報を提供する。その一例として、エンタイトルメントマネジメントメッセージ（ＥＭＭ）に含まれる自動表示メッセージを表示する際、表示方法や表示時間などは、コンディショナルアクセステーブル（ＣＡＴ）の中のＣＡ＿ＤｅｓｃｒｉｐｔｏｒとＣＡ＿Ｓｅｒｖｉｃｅ＿Ｄｅｓｃｒｉｐｔｏｒが必要となる。
【００２７】
図２は、放送波ＴＳのパケットデータを示す模式図である。
図に示す表において、左欄にパケットＩＤ（ＰＩＤ）を示し、右欄に同パケットＩＤを割り当てられたパケットの種類を示している。パケットには非常に多くの種類のパケットが定められており、放送波ＴＳに含まれるパケットは必要に応じて放送局の側で生成して放送されている。
【００２８】
ここで表中のパケットの主要なものについて説明する。
ＰＡＴ（Program Association Table）は、あるTS内に含まれるプログラム一覧を、ＰＭＴのＰＩＤ一覧で格納したものであり、ＰＡＴのＰＩＤは必ず０と決まっている。
ＣＡＴ（Conditional Access Table）は、限定受信をサポートする情報が含まれている。ＣＡＴのＰＩＤは必ず１と決まっている。
ＮＩＴ（Network Information Table）は、チャンネル番号や変調方式、ガードインターバルなど、送信するネットワークに関する情報が含まれている。ＮＩＴのＰＩＤは必ず０ｘ１０と決まっている。
ＳＤＴ（Service Description Table）は、チャンネルの名称が含まれている。また各チャンネル（サービス）で送出されるEITの種類、デジタルコピー制御情報も含まれる。ＳＤＴのＰＩＤは必ず０ｘ１１と決まっている。
ＥＩＴ（Event Information Table）は、番組の名称や放送日時、放送内容など番組に関連する情報が含まれる。EPGは主にこの情報を用いて作成される。ＥＩＴのＰＩＤは必ず0x12と決まっている。このＥＩＴはその示す内容により自局の現在及び次の番組、他局の現在及び次の番組、自局のそれ以外を含む番組、他局のそれら以外を含む番組の４種類に大別され、自局の現在及び次の番組に関する情報は必ず送出する必要があるがその他の情報は送出が任意であり、また送出の頻度も重要性に応じて小さくすることができる。
ＴＯＴ（Time Offset Table）は、現在の日付、時刻、およびサマータイムの情報が含まれる。ＴＯＴのＰＩＤは０ｘ１４と決まっている。
ＰＭＴ（Program Map Table）は、あるプログラムに含まれる画像や音声などの各ＰＩＤを格納したものである。ＰＭＴから画像や音声などのＰＩＤを得ることが出来れば、それらＰＩＤのついたTSパケットを抽出することでプログラムを再生できる。
ＥＭＭ（Entitlement Management Message）は、加入者毎の契約情報および共通情報の暗号を解くためのワーク鍵を含む個別情報の伝送に使用されるものであり、自動表示メッセージやメールのメッセージなども含まれる。
ＳＩＴ（Selection Information Table）は、パーシャルトランスポートストリームで伝送される番組に関する情報の指示などに使用される。
ＥＣＭ（Entitlement Control Message）は、番組情報（番組に関する情報とデスクランブルのための鍵など）および制御情報（デコ−ダのデスクランブル機能の強制オン／オフの指令）からなる共通情報の伝送などに使用される。
【００２９】
個々のプログラムにより、含まれる画像や音声やデータ放送は異なり、必要に応じてパケットＩＤが割り振られてパケットデータとされて伝送されるとともに、割り振ったパケットＩＤとその内容との対応がＰＭＴに記述されることになる。図の表に示す例では、映像については０ｘ１０２、音声は主音声は副音声として０ｘ１０３と０ｘ１０４、字幕は０ｘ１０５、データ放送は二種類提供されて０ｘ１０６，０ｘ１０７がそれぞれ割り振られている。音声がさらに多国の場合はそれぞれの音声毎にパケットＩＤが割り振られるし、字幕やデータ放送についても同様に割り振られていく。
【００３０】
一方、放送局から個別の受信機に対して自動表示メッセージの表示やメールの表示などを行いたい場合に、ＥＭＭを利用することが可能である。
放送時に、ＥＭＭによって自動表示メッセージの表示する際には、ＣＡＴよりＢ−ＣＡＳカードへ問い合わせを行うための情報と、再生ストリームからＥＭＭを特定するための情報を取り出している。
【００３１】
図３は、本発明の第一実施例にかかる制御部のメインフローチャートを示している。
制御部１４は、ステップＳ１００にて、ＥＭＭ表示情報を取得する。ＰＡＴを参照することで、ＥＭＭのパケットＩＤ（０ｘ９００）を取得でき、０ｘ９００のパケットＩＤを付されたパケットデータがあればＥＭＭであることが分かる。その中に含まれる自動表示メッセージを表示する際、表示方法や表示時間などは、コンディショナルアクセステーブル（ＣＡＴ）の中のＣＡ＿ＤｅｓｃｒｉｐｔｏｒとＣＡ＿Ｓｅｒｖｉｃｅ＿Ｄｅｓｃｒｉｐｔｏｒで指定される。
【００３２】
ＥＭＭ表示情報がある場合は、さらに、ステップＳ１０５にて、ＥＭＭ表示情報があると判断し、ステップＳ１１０にて、番組情報からジャンル情報を取得する。番組情報は、ＰＳＩ（Ｐｒｏｇｒａｍ  Ｓｐｅｃｉｆｉｃ  Ｉｎｆｏｒｍａｔｉｏｎ：番組特定情報）／ＳＩ（Ｓｅｒｖｉｃｅ  Ｉｎｆｏｒｍａｔｉｏｎ：番組情報)テーブルから取得できる。通常、番組情報の中には各番組のジャンル情報も含まれており、このジャンル情報を参照すると映画、ドラマ、歌番組、スポーツなどのジャンルを特定することができる。なお、ＰＳＩ／ＳＩテーブルに基づいて電子番組表（ＥＰＧ）を表示している。
【００３３】
本実施例では、ステップＳ１１５にて、同ジャンル情報を参照して、視聴中の番組が映画かドラマであるか判断する。映画かドラマである場合は、ステップＳ１２０にて、後述する処理によって字幕の邪魔にならない場所をＥＭＭの表示位置とし、ステップＳ１５０にて、その表示位置にＥＭＭの自動表示メッセージを表示する。
【００３４】
図４は、字幕の邪魔にならない場所を探すフローチャートを示している。
制御部１４は、ステップＳ２００にて、字幕設定がオンか判断する。オンであれば、字幕を表示する可能性がある。オフであれば、字幕が表示されないので、字幕の邪魔にならない場所を探す必要はなく、ステップＳ２１０にて、字幕表示がないと見なしてＥＭＭの表示位置を指定する。この場合、設定メニューなどを介してデフォルトとして、表示位置は九分割された領域の中央であるとか、左隅というように決めておけばよい。また、後述するその他の処理と同じように、背景を探し、背景が多い領域を表示位置として処理を終える。
【００３５】
次に、ステップＳ２０５にて、音声設定がＯＳＤの設定言語と同じか判断する。字幕がオンであるとしても、日本語でＯＳＤの設定言語を設定しているときに、さらに音声設定が日本語であるなら、そのユーザが字幕を表示させている可能性はほぼ無い。このため、字幕の邪魔にならない場所を探す必要はなく、ステップＳ２１０にて、字幕表示がないと見なしてＥＭＭの表示位置を指定する。
【００３６】
これに対し、字幕表示があると見なせるときは、ステップＳ２１５にて、字幕表示があると見なして字幕と重ならないようにＥＭＭ表示位置を指定する。
図５は、字幕／歌詞の邪魔にならない場所の具体例を示す図である。
字幕の表示位置は、一般的には画面の下側の領域で左右方向に広がる領域のほぼ中央に配置される。従って、字幕（あるいは歌詞も含む）と被らないようにするためには、九分割された各領域で、できる限り左右の端あるいは、上下の端に寄せた位置を表示位置とする。
【００３７】
ステップＳ１１５にて、同ジャンル情報を参照して、視聴中の番組が映画かドラマでないと判断した後、制御部１４は、ステップＳ１２５にて、歌番組であるか判断する。歌番組の場合は歌詞を字幕と同じ位置に表示することがある。このため、ステップＳ１３０にて、歌詞の邪魔にならない場所をＥＭＭの表示位置とし、さらに、ステップＳ１５０にて、その表示位置にＥＭＭの自動表示メッセージを表示する。
【００３８】
図６は、歌詞の邪魔にならない場所を探すフローチャートを示している。
歌詞の邪魔にならない場所を探すには、字幕の邪魔にならない場所を探すのとほぼ同じ処理である。ただし、歌番組の場合は音声設定がＯＳＤの設定言語と同じであったとしても、字幕のように表示しないという処理はしない。それ以外は全て同じである。
【００３９】
従って、制御部１４は、ステップＳ２００にて、字幕設定がオンであると判断されると、ステップＳ２１５にて、字幕表示があると見なして字幕と重ならないようにＥＭＭ表示位置を指定する。すなわち、歌詞（字幕）と被らないようにできる限り左右の端、上下の端に寄せた位置を表示位置とする。また、ステップＳ２００にて、字幕設定がオンでなかったときには、ステップＳ２１０にて、字幕表示がないと見なしてＥＭＭの表示位置をデフォルト指定などに指定する。
このように、番組情報を取得して、ジャンル情報を得ることで、番組を分類し、字幕または歌詞の表示がある番組であれば、字幕または歌詞と被らないようにできる限り左右の端、上下の端に寄せた位置を表示位置として探す処理を実施している。
【００４０】
なお、番組情報からジャンル情報を取得するステップＳ１１０の処理が、番組分類手段に相当し、デジタルテレビ信号の中にＥＭＭの自動表示メッセージが含まれているか判断するステップＳ１００と、ステップＳ１０５の処理が、ＥＭＭ判断手段に相当する。また、各分類毎にＥＭＭの自動表示メッセージの表示領域を選定するステップＳ１２０と、ステップＳ１３０の処理が、記憶手段に相当する。また、ステップＳ１００とステップＳ１０５の判断を経て、ステップＳ２００〜ステップＳ２１５を実行する処理が表示位置特定手段に相当する。なお、ステップＳ１２０と、ステップＳ１３０、およびステップＳ２００〜ステップＳ２１５では、各分類毎にＥＭＭの自動表示メッセージの表示領域を選定しているが、これらは一例にすぎず、他の条件に従って、表示領域を選定することも可能である。そして、表示位置にＥＭＭの自動表示メッセージを表示するステップＳ１５０の処理が、表示制御手段に相当する。
この他、チューナ１１、デマルチプレクサ１２、Ｂ−ＣＡＳカード１９などは、デジタルテレビ放送に基づくデジタルテレビ信号を取得するデジタルテレビ信号取得手段に相当する。
【００４１】
（第二実施例）
図７は、本発明の第二実施例にかかる制御部のメインフローチャートを示している。
本実施例では、スポーツ番組を視聴中にＥＭＭの自動表示メッセージを表示する。この場合、ユーザの視聴の邪魔にならないように、最も関心の高いスコアボードと重ならない場所をＥＭＭの表示位置とする。
【００４２】
制御部１４は、ステップＳ１００とステップＳ１０５にて、ＥＭＭ表示情報があると判断した場合、ステップＳ１１０にて、番組情報からジャンル情報を取得する。ステップＳ１１５にて、映画／ドラマでないと判断され、ステップＳ１２５にて、歌番組でないと判断された後、ステップＳ１３５では、スポーツ番組であると判断され、ステップＳ１４０にて、スコアボードと被らない場所をＥＭＭの表示位置とし、ステップＳ１５０にて、その表示位置にＥＭＭの自動表示メッセージを表示する。
【００４３】
次に、図８は、スコアボードなどと被らない場所を探すフローチャートを示している。以下、制御部１４が、具体的にスコアボードなどと被らない場所を探す処理について説明する。
【００４４】
まず、制御部１４は、ステップＳ３００にて、スポーツ情報を番組情報から取得する。番組情報は、上述したようにＩＳＤＢ規格であれば、ＰＳＩテーブルから取得する。なお、ＡＴＳＣ規格であれば、ＰＳＩＰテーブルから取得すればよい。
スポーツ番組ではスコアボードと重ならない位置と呼んでも、競技によってスコアボードの表示方法が違うため、番組情報ではジャンルによるスポーツ番組との分類に加え、さらに競技の内容を番組情報から取得する。例えば、番組情報の中の詳細な番組情報の説明を対象としてキーワード検索で各競技名を含んでいるか判断することが可能である。
【００４５】
この結果、制御部１４が、ステップＳ３０５にて、競技が野球であると判断したときには、ステップＳ３１０〜ステップＳ３２５の処理で、野球のスコアボードを探して表示位置を決める処理を行う。まず、ステップＳ３１０では、フレーム間の差異が多いとき（タイミング）を探す。野球放送の場合、ピッチャーバッターが対峙している間は、両者共に大きな動きをせず、背景も固定的であるので、フレーム間の差異が少ない。このときは画面全体の動きが少ないので、スコアボードやボールカウントが見つけにくい。これに対して、フレーム間の差異が大きいときでも、スコアボードやボールカウントは動かないので、フレーム間の差異が多いとき（タイミング）を探した上で、ステップＳ３１５にて、同時間帯にて動作の少ない場所を探せば、その位置をスコアボードなどとして仮決定することが可能である。なお、フレーム間の差異が大きいか否かは、毎秒６０枚の各フレームデータについて、前後のフレームデータとを画素毎に対比し、何画素相違しているかをカウントすればよい。各画素単位では差がありすぎるのであれば、５×５画素ごとに評価領域を設け、各評価領域毎に平均値を算出し、前後のフレームデータにおける各評価画素の差異が大きいか否かで判断すればよい。
【００４６】
その後、ステップＳ３２０にて、フレーム間の差異が少ないときに仮決定した場所を確認する。例えば、その位置に着目し、フレーム間の差異の大きいときも小さいときも、常に変化が少ないか否かを判断する。その位置がスコアボードと確認できれば、ステップＳ３２５にて、ＥＭＭの表示位置と決定する。
図９は、野球のスコアボードの邪魔にならない場所の具体例を示す図である。
【００４７】
同図に示すように左下隅にスコアボードが発見されたとすると、九分割された同じ領域にＥＭＭの自動表示メッセージを表示しなければならないのであれば、右上隅を表示位置と決定することで、スコアボードの邪魔にならないようにＥＭＭの自動表示メッセージを表示することができる。
【００４８】
次に、制御部１４が、詳細な番組情報をキーワード検索した結果、ステップＳ３３０にて、競技がサッカーであると判断したときには、ステップＳ３３５〜ステップＳ３４５にて、サッカーのスコアを探して表示位置を決める処理を行う。
まず、ステップＳ３３５にて、画面全体を調べ各輝度の占める割合を調べる。サッカーの場合、映像の中ではグラウンドの占める割合が大半である。グラウンドは芝であって、どの部分もほぼ同じような色および輝度となっていることが多い。あるフレームでその映像データの画素の輝度分布を度数分布などで求めた場合、多くの画素が占める輝度がグラウンドの画素であると判断することが可能である。多くの画素が占める輝度を持つ画素はグラウンドであり、これを背景とみなせば、スコアは背景以外の部分に表示されているはずである。このため、制御部１４は、ステップＳ３４０にて、背景以外を対象としてフレーム間の動作が少ない場所を確認する。フレーム間の動作が少ないかの判定方法は上述したとおりである。スコアボードは動きがないことが多いので、比較的容易に探せる。そして、その位置をステップＳ３４５にて、ＥＭＭの表示位置と決定する。
【００４９】
図１０は、サッカーのスコアボードの邪魔にならない場所の具体例を示す図である。
同図に示すように左下隅にスコアボードが発見されたとすると、九分割された同じ領域にＥＭＭの自動表示メッセージを表示しなければならないのであれば、右上隅を表示位置と決定することで、スコアボードの邪魔にならないようにＥＭＭの自動表示メッセージを表示することができる。
【００５０】
野球やサッカーはスコアボードの表示が一定であることが多く、上述した処理でかなり正確に判断できる。しかし、それ以外のスポーツについては、別の手法を使う。すなわち、競技が野球またはサッカー以外である物については、ステップＳ３５０にて、ゴルフ／ボクシング／アイススケートなどと判断し、ステップＳ３５５にて、四隅にてフレーム間の動作が少ないものを確認する。この場合、基本的には四隅のどこかの位置と推定し、その場所に限定してフレーム間の動作が少ない場所を探す。そのような場所が見つかれば、ステップＳ３６０にて、そのような場所を避けるようにして、ＥＭＭの表示位置を決定する。例えば、左上隅にスコアボードらしきものを見つけたとして、ＥＭＭの自動表示メッセージが九分割された左上隅であったとしたら、その九分割された領域の中の右下隅を表示位置とすれば、左上隅のスコアボードとは重ならない可能性が高い。一方、左上隅にスコアボードらしきものを見つけたとして、ＥＭＭの自動表示メッセージが九分割された左下隅であったとしたら、ほぼスコアボードと重なることは考えられないので、任意の位置、例えばデフォルトの位置とか背景位置を探してその位置を表示位置とすればよい。
【００５１】
以上説明したように、本実施例では、分類手段は、番組情報に基づいて、スポーツ番組を一つの分類としている。その場合、選定条件記憶手段は、スポーツ番組の分類に対して、スコアの表示領域を回避する位置をＥＭＭの自動表示メッセージの表示領域と選定する条件を記憶する。より、具体的には、スポーツが野球であるときに、選定条件記憶手段は、フレーム間の差異が多いときに、動作の少ない場所をスコアの表示領域と仮判定し、フレーム間の差異が少ないときに仮判定した領域がスコアの表示領域かを確認する。また、スポーツがサッカーであるときに、選定条件記憶手段は、輝度の分布に基づいて背景の領域を判定し、背景の領域以外を対象として、フレーム間の動作が少ない場所をスコアの表示領域と判定する。そして、他のスポーツ番組の分類であるときに、選定条件記憶手段は、画面の四隅にてフレーム間の動作が少ない場所をスコアの表示領域と判定する。
【００５２】
（第三実施例）
図１１は、本発明の第三実施例にかかる制御部のメインフローチャートを示している。
本実施例では、映画／ドラマ、歌番組、スポーツ以外の場合など、その他一般の分類に当てはまる場合の処理である。
番組情報から取得したジャンル情報が、映画／ドラマ、歌番組、スポーツ以外であるとき、制御部１４は、ステップＳ１４５にて、その他の場合の処理として、ＥＭＭの表示位置として背景を探し、背景をＥＭＭの表示位置とする。背景は、一般的にはあるフレームデータの中で最も輝度分布が多い画素の部分であると推測できる。従って、あるフレームデータの中で輝度分布を求め、最も輝度分布が多い画素を分布している領域を背景としたり、フレーム間の輝度の差を求め、輝度の差の小さいところを背景と見なしたりすることが可能である。以下、詳述する。
【００５３】
図１２は、その他の場合の表示領域を探すフローチャートを示している。
制御部１４は、ステップＳ４００にて、平均輝度を求め、ステップＳ４０５にて、平均輝度に近い領域を確認し、ステップＳ４１０にて、背景らしい場所をＥＭＭの表示位置として決定する。
図１３は、その他の場合に背景を探して表示領域とする具体例を示す図である。
【００５４】
同図に示すように、青空が背景で桜が写っているなら、青空が背景として認識され、青空の位置にＥＭＭの自動表示メッセージの表示位置とする。このようにすれば、桜になるべくかからないようにすることができるようになる。
その後、制御部１４は、ステップＳ４１５にて、その表示位置にＥＭＭの自動表示メッセージを表示する。
（第四実施例）
【００５５】
本実施例では、番組の分類によって表示位置を変えるのではなく、テレビのサイズによりフォントサイズを切り替える。
図１４は、テレビのサイズによりフォントサイズを切り替える処理のフローチャートである。
具体的には、制御部１４は、ステップＳ５００にて、ＥＭＭ表示情報を取得し、ステップＳ５０５にて、ＥＭＭ表示情報があると判断すると、まず、ステップＳ５１０にて、ディスプレイのサイズを取得する。近年、よく利用されているＨＤＭＩ（登録商標）で接続されていれば、ＨＤＭＩを経由してディスプレイのサイズを取得することができる。そして、ステップＳ５１５にて、ディスプレイのサイズに基づきフォントサイズを決定する。このとき、サイズが大きいほど小さいフォントを指定し、ステップＳ５２０にて、同指定された大きさのフォントでＥＭＭの自動表示メッセージを表示する。
【００５６】
図１５は、テレビのサイズによりフォントサイズを切り替える具体例を示す図である。
同図（ａ）は３７インチのディスプレイを示し、同図（ｂ）は５２インチのディスプレイを示している。
ディスプレイが大きくなると、表示されるソースは一定なので、表示は大きくなる。しかし、メッセージは視認できれば良く、ディスプレイが大きくなったときに、比例して大きくなる必要はない。このため、ディスプレイの大きさを取得し、大きな画面であるほど、表示させるフォントの大きさを画面に対して相対的に小さくして表示することで、視認性は確保しつつ、ユーザが視認できる領域も広がり、メッセージ表示が邪魔にならないようにすることができる。
【００５７】
（第五実施例）
本実施例では、自動表示メッセージの表示位置について、自動で設定しない、あるいは自動で設定できなかった場合のデフォルトの表示位置を指定する。
この場合、ユーザの操作入力を受け付けて決定する。例えば、リモコン２０を備え、制御部１４が図示しない操作パネルなどを介してリモコン２０の操作を受け付けるようにする。この意味で、リモコン２０と制御部１４とで操作受付手段を構成する。
【００５８】
その上で、表示位置特定手段としての制御部１４は、設定メニューなどでＯＳＤによって、ユーザに表示位置の選定操作を促す表示を行なう。これに対して、リモコン２０を操作して入力されるユーザが選定する表示位置を制御部１４が取得する。このようにして、ユーザが選定する表示位置が決められている場合、制御部１４は、自動で設定しない場合や、自動で設定できなかった場合に、、当該表示位置を優先させてＥＭＭの自動表示メッセージを表示する。
【００５９】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００６０】
１１…チューナ、１２…デマルチプレクサ、１３…多重分離部、１４…制御部、１５…デコーダ部、１６…再構築部、１７…記録再生部、１８…記録媒体、１９…Ｂ−ＣＡＳカード、２０…リモコン。
【図１】
2015167338.tif 000003
【図２】
2015167338.tif 000004
【図３】
2015167338.tif 000005
【図４】
2015167338.tif 000006
【図５】
2015167338.tif 000007
【図６】
2015167338.tif 000008
【図７】
2015167338.tif 000009
【図８】
2015167338.tif 000010
【図９】
2015167338.tif 000011
【図１０】
2015167338.tif 000012
【図１１】
2015167338.tif 000013
【図１２】
2015167338.tif 000014
【図１３】
2015167338.tif 000015
【図１４】
2015167338.tif 000016
【図１５】
2015167338.tif 000017